(57)【特許請求の範囲】
【請求項１】
穀物搬送樋の一端と他端にそれぞれ設けた駆動スプロケットと従動スプロケットとの間に、多数の搬送翼を備えたフライトチェーンを水平状に懸回してフローコンベアを構成してなる穀物搬送機において、フローコンベアの穀物排出口には、開閉エアシリンダにより上記穀物排出口を開閉するシャッタを備えるとともにこの穀物排出口に対応させてフライトチェーン上に残留する穀物を掃き落とすブラシ体を設け、このブラシ体は、フライトチェーンに接するブラシ部を有するブラシプレートでなり、かつブラシプレートを、ブラシ部がフライトチェーンに圧接する方向に弾力付勢する構成とし、ブラシ体はシャッタの開閉エアシリンダに連動リンク機構により連動していて、シャッタを開くとブラシ部がフライトチェーンに圧接し、シャッタを閉じるとブラシ部がフライトチェーンから離れるように構成されていることを特徴とする穀物搬送機における残留穀物除去装置。
【発明の詳細な説明】
【０００１】
【発明の属する技術分野】
本発明は、穀物搬送樋の一端と他端にそれぞれ設けた駆動スプロケットと従動スプロケットとの間に、多数の搬送翼を備えたフライトチェーンを水平状に懸回してフローコンベアを構成してなる穀物搬送機において、フローコンベアの穀物排出口の位置で、フライトチェーン上に残留する穀物を掃き落とす穀物搬送機における残留穀物除去装置に関する。
【０００２】
【従来の技術】
従来、穀物搬送樋の一端と他端にそれぞれ設けた駆動スプロケットと従動スプロケットとの間に、多数の搬送翼を備えたフライトチェーンを水平状に懸回してフローコンベアを構成してなる穀物搬送機において、フライトチェーン上に残留する穀物をブラシ片により掃き落とすようにしたものは、特開昭６２−２３５１１１号公報に記載されている。
【０００３】
また、フライトチェーン上に残留する穀物を圧風の吹き付けによって除去するようにしたものは、特開平８−４０５３４号公報に記載されている。
【０００４】
【発明が解決しようとする課題】
この種の穀物搬送機は、穀物搬送樋の穀物供給部から供給された穀物を、多数の搬送翼を備えたフライトチェーンの回転により、穀物搬送樋の穀物排出側に搬送するものであるが、搬送中の穀物の一部はフライトチェーン上に乗って残留するので、それを払い落とす必要がある。ところで、前掲の特開昭６２−２３５１１１号公報に記載されているもののように、フライトチェーンの上に接するブラシ片を設けたものでは、フライトチェーンが回転してその節目部がブラシ片を通過する毎にブラシ片が跳ね返されて、ブラシ片がフライトチェーン上から間欠的に離れる現象を呈し、フライトチェーン上の穀物が払い落とされずに残ってしまうという欠点がある。
【０００５】
また、前掲の特開平８−４０５３４号公報に記載されているように、圧風の吹き付けにより残留穀物を吹き落とすものでは、周辺の穀物までも噴き上げてしまうので、吹き上げられた穀物が再度フライトチェーン上に乗って残留する欠点がある。
【０００６】
そこで、本発明は、上記従来のものにおける欠点を解消することを目的とするものであって、フライトチェーンの回転にともなってブラシ体の跳ね返りが生ぜず、フライトチェーン上の残留穀物を払い落とすのに適度な圧接状態を保ってフライトチェーン上にブラシ体を圧接させて、フライトチェーン上の残留穀物を確実に除去することができるとともに、穀物排出口のシャッタが閉じているときは、ブラシ体のブラシ部がフライトチェーンから離れるようにして、ブラシ部の無駄な摩耗を無くすることができる穀物搬送機における残留穀物除去装置を提供するものである。
【０００７】
【課題を解決するための手段】
上記目的を達成するため、本発明に係る穀物搬送機における残留穀物除去装置は、穀物搬送樋の一端と他端にそれぞれ設けた駆動スプロケットと従動スプロケットとの間に、多数の搬送翼を備えたフライトチェーンを水平状に懸回してフローコンベアを構成してなる穀物搬送機において、フローコンベアの穀物排出口にはそれを開閉するシャッタを備えるとともにこの穀物排出口に対応させてフライトチェーン上に残留する穀物を掃き落とすブラシ体を設け、このブラシ体は、フライトチェーンに接するブラシ部を有するブラシプレートでなり、かつブラシプレートを、ブラシ部がフライトチェーンに圧接する方向に弾力付勢する構成としたものである。
【０００８】
そして、本発明においては、上記構成において、ブラシ体はシャッタの開閉エアシリンダに連動リンク機構により連動していて、シャッタを開くとブラシ部がフライトチェーンに圧接し、シャッタを閉じるとブラシ部がフライトチェーンから離れるように構成されていることを特徴とするものである。
【０００９】
【発明の実施の形態】
図面は本発明の一実施の形態を示し、図１は本発明に係る穀物搬送機を使用した穀物調製施設の概略図、図２は本発明に係る残留穀物除去装置を示す一部の側面図、図３は図２に対応する部分の概略正面図、図４はフライトチェーンの一部を示す平面図である。
【００１０】
図１において、１は本発明に係る穀物搬送機である。この穀物搬送機１は、水平方向に架設した穀物搬送樋２の一端の駆動スプロケット３、他端の従動スプロケット４との間に、多数の搬送翼５を備えたフライトチェーン６を懸回して、フローコンベアを構成してなるものである。７は複数の穀物排出口であり、各穀物排出口７にはそれを開閉するシャッタ８を備えている。９は穀物タンク、１０は穀物供給装置である。穀物搬送機１は、穀物貯留タンク９に穀物を搬出入するためのものである。なお、本発明に係る穀物搬送機１は穀物乾燥機（図示せず）に穀物を搬入するのにも用いられる。
【００１１】
上記穀物搬送機１において、図２および図３に示すように、各穀物排出口７に対応させて、フライトチェーン６上に残留する穀物を掃き落とすブラシ体１１を設けており、このブラシ体１１は、フライトチェーン６に接するブラシ部１２を有するブラシプレート１３でなり、ブラシプレート１３は、ブラシ部１２がフライトチェーン６上に圧接する方向に弾力付勢するバネ蝶番１４を介して支持板１５に連結され、支持板１５は支軸１６によってフローコンベアの固定部１７に軸支されている。ブラシ体１１は、支軸１６を中心にして回動させることによりブラシ部１２がフライトチェーン６上に圧接する状態から離れる状態に変位させることができるようになっている。
【００１２】
そして、フライトチェーン６上に残留する穀物を掃き落とすブラシ体１１は、穀物排出口７を開閉するシャッタ８の開閉エアシリンダ１８に連動して、シャッタ８が開かれたときのみブラシ体１１のブラシ部１２がフライトチェーン６上に圧接する状態となり、シャッタ８を閉じたときはブラシ体１１のブラシ部１２をフライトチェーン６から離すように構成されている。１９はその連動リンク機構である。
【００１３】
ブラシ体１１は、図４に示すように、フライトチェーン６とそれに固定されて搬送方向の左右に突出する搬送翼５の幅Ｌと同じかそれより少し幅広にしてある。したがって、本発明に係るブラシ体１１のブラシ部１２は幅が広いものであるが、ブラシ部１２はその全体がフライトチェーン６上に対して弾力付勢されているうえ、ブラシ部１２はフライトチェーン６とその左右両側の搬送翼５の状態に応じて部分的に異なった撓みを呈するので、弾力付勢による圧力とブラシ部１２の部分的に異なる撓みとによって、フライトチェーン６と搬送翼５の全体にわたって、それらの上に残留する穀物を掃き落とすのに適度な圧接状態となり、残留穀物が確実に除去されるとともに、ブラシ部１２が過度に圧接させることがない。
【００１４】
また、穀物排出口７のシャッタ８が閉じているときは、ブラシ体１１のブラシ部１２がフライトチェーン６上から離れるので、ブラシ部１２の無駄な摩耗を無くすることができる。
【００１５】
ブラシ体１１のブラシ部１２は、バネ蝶番１４の弾力によってフライトチェーン６方向に弾力付勢されるが、フライトチェーン６の回転に伴ってブラシ体１１は跳ね返し作用を受け続けるので、ブラシ体１１のブラシ部１２をフライトチェーン６上から離れないように保たせるには、ブラシ体１１がフライトチェーン６の振動に共振しないようにすることが必要である。一方、ブラシ体１１のブラシ部１２のフライトチェーン６に対する圧接力は、ブラシ部１２の摩耗を少なくするうえでできるだけ小さいことが望ましい。そこで、バネ蝶番１４の弾力はその両方の要求を満足させるように設定する。
【００１６】
【発明の効果】
本発明によれば、フライトチェーンの回転にともなってブラシ体の跳ね返りが生ぜず、フライトチェーン上の残留穀物を払い落とすのに適度な圧接状態を保ってフライトチェーン上にブラシ体を圧接させて、フライトチェーン上の残留穀物を確実に除去することができるとともに、穀物排出口のシャッタが閉じているときは、ブラシ体のブラシ部がフライトチェーンから離れるようにして、ブラシ部の無駄な摩耗を無くすることができる効果が得られる。
【図面の簡単な説明】
【図１】本発明に係る穀物搬送機を使用した穀物調製施設の概略説明図である。
【図２】本発明に係る残留穀物除去装置を示す一部の側面図である。
【図３】図２に対応する部分の概略正面図である。
【図４】フライトチェーンの一部を示す平面図である。
【符号の説明】
１  穀物搬送機
２  穀物搬送樋
３  駆動スプロケット
４  従動スプロケット
５  搬送翼
６  フライトチェーン
７  穀物排出口
８  シャッタ
９  穀物タンク
１０  穀物供給装置
１１  ブラシ体
１２  ブラシ部
１３  ブラシプレート
１４  バネ蝶番
１５  支持板
１６  支軸
１７  フローコンベアの固定部
１８  エアーシリンダ
１９  連動リンク機構
【図１】
0003608894.tif 000002
【図２】
0003608894.tif 000003
【図３】
0003608894.tif 000004
【図４】
0003608894.tif 000005